(57)【特許請求の範囲】
【請求項１】
便器を洗浄する洗浄水を貯える洗浄水タンクの排水弁装置であって、
上方に延びる弁体主軸を備え且つこの弁体主軸の引上げに応じて洗浄水タンクの底面に配置された排水口を開閉する弁体と、
小洗浄用フロート機構であって、上記弁体主軸に係合可能に形成された小洗浄側カム係合部と、上記洗浄水タンク内の水位が所定の小洗浄水量を排出する水位まで低下するとき、水位と共に下降する小洗浄用フロートとを備え、上記小洗浄用フロートの下降により上記小洗浄側カム係合部と上記弁体主軸との係合が解除されるように形成されている上記小洗浄用フロート機構と、
大洗浄用フロート機構であって、上記弁体主軸に係合可能に形成された大洗浄側カム係合部と、上記洗浄水タンク内の水位が所定の大洗浄水量を排出する水位まで低下するとき、水位と共に下降する大洗浄用フロートとを備え、上記大洗浄用フロートの下降により上記大洗浄側カム係合部と上記弁体主軸との係合が解除されるように形成されている上記大洗浄用フロート機構と、
上記弁体及び上記弁体の上方に配置される上記小洗浄用フロートと上記大洗浄用フロートとを収容するケーシング部、とを有し、
上記弁体の上記弁体主軸が、大洗浄モード用の引上げ量を引上げられたときに、上記大洗浄側カム係合部と係合し、小洗浄モード用の引上げ量を引上げられたときに上記小洗浄側カム係合部と係合する１つの共通突起部を備えていることを特徴とする排水弁装置。
【請求項２】
上記小洗浄用フロート機構の上記小洗浄側カム係合部は、上記大洗浄用フロート機構の上記大洗浄側カム係合部よりも低い位置に配置されている請求項１記載の排水弁装置。
【請求項３】
上記小洗浄用フロート機構は、さらに、上記小洗浄用フロートを支持するフロート支持軸を備え、
上記小洗浄側カム係合部は、上記フロート支持軸の下端部に連結されている請求項１又は２に記載の排水弁装置。
【請求項４】
上記ケーシング部は、さらに、上記フロート支持軸を摺動可能な状態で側方から支持する支持部を備えている請求項３に記載の排水弁装置。
【請求項５】
上記小洗浄用フロート機構の上記フロート支持軸は、外周面に上記小洗浄用フロートと螺合するネジ部が形成されている請求項４に記載の排水弁装置。
【請求項６】
請求項１乃至５の何れか１項に記載の排水弁装置を備えたことを特徴とする洗浄水タンク装置。
【請求項７】
上記請求項６記載の洗浄水タンク装置を備えたことを特徴とする水洗大便器。
【発明の詳細な説明】
【技術分野】
【０００１】
本発明は、排水弁装置、この排水弁装置を備えた洗浄水タンク装置、及び、この洗浄水タンク装置を備えた水洗大便器に係り、特に、便器を洗浄する洗浄水を貯える洗浄水タンクの排水弁装置、この排水弁装置を備えた洗浄水タンク、及び、この洗浄水タンク装置を備えた水洗大便器に関する。
【背景技術】
【０００２】
従来から、使用者が便器洗浄を開始させるための操作レバーを引き上げる操作を行うことにより、操作レバーと物理的に連結された弁体が、引上げ動作に直接応じて、排水口上の弁座から引き上げられ、排水口が開放される直動式の排水弁装置が知られている。
【０００３】
このような直動式の排水弁装置は、特許文献１に示すように、大洗浄モードと小洗浄モードの二つの洗浄水量の異なる洗浄モードを実現するため、大洗浄モードの閉弁動作を開始させるように洗浄水タンク内の比較的低い位置に配置される大洗浄用フロートと、大洗浄用フロートと接続されて、弁体主軸の大洗浄用突起部と係合できるようになっている大洗浄用カム部材と、小洗浄モードの閉弁動作を開始させるように大洗浄用フロートよりも高い位置に配置される小洗浄用フロートと、比較的高い位置に配置されている小洗浄用フロートと接続され、且つ大洗浄用カム部材より上方に配置され、弁体主軸の小洗浄用突起部と係合できるようになっている小洗浄用カム部材と、を備えている。このような排水弁装置の弁体主軸には、大洗浄用カム部材と係合する大洗浄用突起部と、大洗浄用突起部よりも高い位置に設けられ且つ小洗浄用カム部材と係合する小洗浄用突起部と、の２つの突起部が設けられている。
【０００４】
このような直動式の排水弁装置においては、小洗浄モードのとき、弁体主軸の少ない引上げ量に応じて、上方の小洗浄用カム部材と小洗浄用突起部とが係合され、その後、小洗浄用フロートが下降すると、これらの係合が解除されて閉弁動作が開始される。また、大洗浄モードのとき、弁体主軸の大きな引上げ量に応じて、下方の大洗浄用カム部材と大洗浄用突起部とが係合され、その後、大洗浄用フロートが下降すると、これらの係合が解除されて閉弁動作が開始される。
【先行技術文献】
【特許文献】
【０００５】
【特許文献１】特開２０１３−１００６６８号公報
【発明の概要】
【発明が解決しようとする課題】
【０００６】
しかしながら、特許文献１に記載された排水弁装置では、弁体主軸に大洗浄用突起部と小洗浄用突起部とが、別々に設けられているので、弁体主軸の長さが長くなってしまうという問題があった。
また、少ない洗浄水量の水位の低下に対応する小洗浄用フロートは大洗浄用フロートよりも高い位置に配置されるため、小洗浄用フロートから延びる小洗浄用カム部材と係合するための小洗浄用突起部も、大洗浄用突起部よりも高い位置に配置されていた。従って、弁体主軸の長さが、小洗浄用突起部を配置する分だけ長くなって（高さが高くなって）しまうという問題があった。
このように、弁体主軸の長さが長くなると、弁体主軸を引上げ動作ができるようにしながら収納する排水弁装置の高さが高くなってしまうため、水洗大便器の低シルエット化の要請に対応することが難しいという問題があった。
【０００７】
そこで、本発明は、従来技術の問題や課題を解決するためになされたものであり、小洗浄用のカム係合部及び大洗浄用のカム係合部に対し、１つの共通突起部のみを有し、弁体主軸の長さを短くすることができ、排水弁装置の高さを低くして、比較的低いシルエットを有する便器に配置することができる排水弁装置を提供することを目的としている。
【課題を解決するための手段】
【０００８】
上記の目的を達成するために、本発明は、便器を洗浄する洗浄水を貯える洗浄水タンクの排水弁装置であって、上方に延びる弁体主軸を備え且つこの弁体主軸の引上げに応じて洗浄水タンクの底面に配置された排水口を開閉する弁体と、小洗浄用フロート機構であって、弁体主軸に係合可能に形成された小洗浄側カム係合部と、洗浄水タンク内の水位が所定の小洗浄水量を排出する水位まで低下するとき、水位と共に下降する小洗浄用フロートとを備え、小洗浄用フロートの下降により小洗浄側カム係合部と弁体主軸との係合が解除されるように形成されている小洗浄用フロート機構と、大洗浄用フロート機構であって、弁体主軸に係合可能に形成された大洗浄側カム係合部と、洗浄水タンク内の水位が所定の大洗浄水量を排出する水位まで低下するとき、水位と共に下降する大洗浄用フロートとを備え、大洗浄用フロートの下降により大洗浄側カム係合部と弁体主軸との係合が解除されるように形成されている大洗浄用フロート機構と、弁体及び弁体の上方に配置される小洗浄用フロートと大洗浄用フロートとを収容するケーシング部、とを有し、弁体の弁体主軸が、大洗浄モード用の引上げ量を引上げられたときに、大洗浄側カム係合部と係合し、小洗浄モード用の引上げ量を引上げられたときに小洗浄側カム係合部と係合する１つの共通突起部を備えていることを特徴とする。
このように構成された本発明においては、弁体の弁体主軸の１つの共通突起部が、大洗浄モード用の引上げ量を引上げられたときに、大洗浄側カム係合部と係合し、小洗浄モード用の引上げ量を引上げられたときに小洗浄側カム係合部と係合し、大洗浄モード及び小洗浄モードにおいて、弁体を引上げた状態で、洗浄水を洗浄水タンクの排水口から便器に排出する。小洗浄モードにおいては、洗浄水タンク内の水位が所定の小洗浄水量を排出する水位まで低下するとき、小洗浄用フロートが水位と共に下降することにより、小洗浄側カム係合部と弁体主軸の１つの共通突起部との係合が解除され、弁体が降下して排水口を閉止する。大洗浄モードにおいては、洗浄水タンク内の水位が所定の大洗浄水量を排出する水位まで低下するとき、大洗浄用フロートが水位と共に下降することにより、大洗浄側カム係合部と弁体主軸の１つの共通突起部との係合が解除され、弁体が降下して排水口を閉止する。このように、弁体主軸の１つの共通突起部を用いて、小洗浄モード及び大洗浄モードを行うことができる。従って、弁体主軸が、小洗浄側カム係合部及び大洗浄側カム係合部に対し、１つの共通突起部のみを有するので、弁体主軸の長さを短くすることができ、排水弁装置の高さを低くして、比較的低いシルエットを有する便器に配置することができる排水弁装置を提供することができる。
【０００９】
本発明において、好ましくは、小洗浄用フロート機構の小洗浄側カム係合部は、大洗浄用フロート機構の大洗浄側カム係合部よりも低い位置に配置されている。
このように構成された本発明においては、小洗浄側カム係合部は、大洗浄側カム係合部よりも低い位置に配置されている。弁体主軸の１つの共通突起部が、大洗浄側カム係合部の高さまで引上げられたときに、大洗浄側カム係合部と係合することができ、大洗浄側カム係合部の高さよりも低い位置に配置されている小洗浄側カム係合部の高さまで引上げられたときに、小洗浄側カム係合部と係合することができる。従って、従来のように小洗浄側カム係合部が大洗浄側カム係合部よりも高い位置に配置されていない。よって、従来のように大洗浄側カム係合部よりも高い位置に配置されている小洗浄側カム係合部に対応する小洗浄用突起部を弁体主軸に設ける必要をなくすことができる。従って、弁体主軸が、大洗浄側カム係合部よりも低い位置に配置されている小洗浄側カム係合部と係合する１つの共通突起部を有するので、弁体主軸の長さを短くすることができ、排水弁装置の高さを低くして、比較的低いシルエットを有する便器に配置することができる排水弁装置を提供することができる。
【００１０】
本発明において、好ましくは、小洗浄用フロート機構は、さらに、小洗浄用フロートを支持するフロート支持軸を備え、小洗浄側カム係合部は、フロート支持軸の下端部に連結されている。
このように構成された本発明においては、小洗浄側カム係合部は、フロート支持軸の下端部に連結されるので、比較的低い位置で１つの共通突起部と係合することができる。従って、弁体主軸が、比較的近い位置に１つの共通突起部を有するので、弁体主軸の長さを短くすることができ、排水弁装置の高さを低くして、比較的低いシルエットを有する便器に配置することができる排水弁装置を提供することができる。
【００１１】
本発明において、好ましくは、ケーシング部は、さらに、フロート支持軸を摺動可能な状態で側方から支持する支持部を備えている。
このように構成された本発明においては、ケーシング部の支持部がフロート支持軸を摺動可能な状態で側方から支持することができるので、従来のようにフロート支持軸の下端部をケーシングの底部から支持する底部支持部を設ける必要がなくなる。従って、フロート支持軸の下端部に小洗浄側カム係合部を連結することができ、小洗浄側カム係合部を、比較的低い位置に配置することができる。
【００１２】
本発明において、好ましくは、小洗浄用フロート機構のフロート支持軸は、外周面に小洗浄用フロートと螺合するネジ部が形成されている。
このように構成された本発明においては、フロート支持軸は、外面に小洗浄用フロートと螺合するネジ部が形成されている。よって、洗浄水タンク内の水位が所定の小洗浄水量を排出する水位まで低下するとき洗浄水タンク内の水位と共に下降を開始する小洗浄用フロートの高さ位置をフロート支持軸のネジ部に沿って微調整可能である。従って、洗浄水タンクから排出される所定の小洗浄水量を、従来のように段階的な調整によらずに、比較的高い精度で微調整することができ、例えば節水化の要請に伴い洗浄水タンク内の洗浄水量が低減される場合にも、この低減された洗浄水量のうちの所定の小洗浄水量を、比較的高い精度で微調整することができる。
【００１３】
また、本発明は、排水弁装置を備えている洗浄水タンク装置である。
このように構成された本発明においては、排水弁装置の高さを低くして、比較的低いシルエットを有する洗浄水タンク装置を提供することができる。
【００１４】
また、本発明は、洗浄水タンク装置を備えている水洗大便器である。
このように構成された本発明においては、排水弁装置の高さを低くして、比較的低いシルエットを有する水洗大便器を提供することができる。
【発明の効果】
【００１５】
本発明の排水弁装置、この排水弁装置を備えた洗浄水タンク装置、及び、この洗浄水タンク装置を備えた水洗大便器によれば、弁体主軸の長さを短くすることができ、排水弁装置の高さを低くして、比較的低いシルエットを有する便器に配置することができる。
【図面の簡単な説明】
【００１６】
【図１】本発明の一実施形態による排水弁装置が適用される水洗大便器の概略斜視図である。
【図２】図１のＩＩ−ＩＩ線に沿って見た断面図である。
【図３】図１のＩＩＩ−ＩＩＩ線に沿って見た断面図である。
【図４】本発明の一実施形態による排水弁装置のケーシングの蓋部及び胴部を取り外した状態で内部構造を見た概略斜視図である。
【図５】図２のＶ−Ｖ線に沿って見た断面図である。
【図６】図２のＶＩ−ＶＩ線に沿って見た断面図である。
【図７】図１のＩＩ−ＩＩ線に沿って見た部分断面図であり、本発明の一実施形態による排水弁装置の小洗浄モードを開始するために弁体部を引上げた直後の状態を示す図である。
【図８】図１のＩＩＩ−ＩＩＩ線に沿って見た部分断面図であり、本発明の一実施形態による排水弁装置の小洗浄モードを開始するために弁体部を引上げた直後の状態を示す図である。
【図９】図１のＩＩ−ＩＩ線に沿って見た部分断面図であり、本発明の一実施形態による排水弁装置の小洗浄モードにおいて、共通突起部が小洗浄側カム係合部と係合している排水途中の状態を示す図である。
【図１０】図１のＩＩ−ＩＩ線に沿って見た部分断面図であり、本発明の一実施形態による排水弁装置の小洗浄モードにおける排水終了時の状態を示す図である。
【図１１】図１のＩＩ−ＩＩ線に沿って見た部分断面図であり、本発明の一実施形態による排水弁装置の大洗浄モードを開始するために弁体部を引上げた直後の状態を示す図である。
【図１２】図１のＩＩＩ−ＩＩＩ線に沿って見た部分断面図であり、本発明の一実施形態による排水弁装置の大洗浄モードを開始するために弁体部を引上げた直後の状態を示す図である。
【図１３】図１のＩＩ−ＩＩ線に沿って見た部分断面図であり、本発明の一実施形態による排水弁装置の大洗浄モードにおいて、共通突起部が大洗浄側カム係合部と係合している排水途中の状態を示す図である。
【図１４】図１のＩＩ−ＩＩ線に沿って見た部分断面図であり、本発明の一実施形態による排水弁装置の大洗浄モードにおける排水終了時の状態を示す図である。
【発明を実施するための形態】
【００１７】
以下、添付図面を参照して、本発明の一実施形態による排水弁装置が適用された水洗大便器について説明する。
まず、図１乃至図３を用いて、操作装置が取り付けられる前の状態の排水弁装置、この排水弁装置を備えた洗浄水タンク装置、及び、この洗浄水タンク装置を備えた水洗大便器について説明する。
図１は本発明の一実施形態による排水弁装置が適用される水洗大便器の概略斜視図であり、図２は図１のＩＩ−ＩＩ線に沿って見た断面図であり、図３は図１のＩＩＩ−ＩＩＩ線に沿って見た断面図である。
【００１８】
図１に示すように、本発明の一実施形態による排水弁装置が適用される洗浄水タンク装置を備えた水洗大便器１は、汚物を受ける便器本体２と、この便器本体２の後方の上方に設けられた直方体状の洗浄水タンク装置４とを備えている。洗浄水タンク装置４は、便器を洗浄するための洗浄水を貯える貯水タンク６を備えている。また、この貯水タンク６の底部６ａには、上下方向に貫く排水口１０が設けられている。なお、本発明の一実施形態は、洗浄水タンク装置４と便器本体２とが別々に形成された水洗大便器であってもよく、また、洗浄水タンク装置４と便器本体２とが一体的に形成された、いわゆる、ワンピースの水洗大便器であってもよい。
【００１９】
この洗浄水タンク装置４の頂部には、貯水タンク６の上方の開口部分をほぼ全体的に覆うように、貯水タンク６の上縁に着脱自在に固定されている蓋８が設けられている。
この蓋８の上面には、詳細は後述する押しボタン式の手動操作装置１８が設けられている。使用者が手動操作装置１８の押しボタンを押下する操作を行うことによって、大洗浄モードの洗浄操作又は小洗浄モードの洗浄操作のいずれかの洗浄形態に応じた所定の流量の洗浄水が洗浄水タンク装置４から便器本体２に供給される。
洗浄水タンク装置４は、１．５リットル乃至６リットルの洗浄水量を便器本体２に供給できるようにされ、好ましくは、１．５リットル乃至３．８リットルの洗浄水量を便器本体２に供給して洗浄する、節水型の水洗大便器における洗浄水タンクとすることもできる。
【００２０】
水洗大便器１の便器本体２は、その前方側に設けられたボウル部１２と、このボウル部１２の上縁に形成されたリム部１４とを備えている。
また、便器本体２のボウル部１２の底部には、排水トラップ管路１６の入口１６ａが開口し、この入口１６ａから後方の排水トラップ管路１６は排水ソケット（図示せず）等を介して床下の排出管（図示せず）に接続されている。
本実施形態による水洗大便器１は、サイホン作用を利用してボウル部１２内の汚物を吸い込んで排水トラップ管路１６から一気に外部に排出する、いわゆる、サイホン式の水洗大便器であってもよく、他に、水洗大便器１としては、サイホン式の水洗大便器に限定されず、ボウル部内の水の落差による流水作用で汚物を押し流す、いわゆる、洗い落し式の水洗大便器等の他のタイプの水洗便器にも適用可能である。
【００２１】
つぎに、便器本体２は、貯水タンク６の排水口１０から排出される洗浄水が流入する導水路２０と、リム部１４の前方から見て左側中央近傍に形成された第１リム吐水口２２と、リム部１４の前方から見て右側後方に形成された第２リム吐水口２４（図１参照）とを備えている。
また、導水路２０は、便器本体２の後方の中央から前方側に向かって延びた後、分岐されて第１リム吐水口２２又は第２リム吐水口２４まで延びる流路を形成している。貯水タンク６の排水口１０から排出された洗浄水は、導水路２０において便器本体２の後方の中央から前方側に向かって流れた後、分岐されて、第１リム吐水口２２又は第２リム吐水口２４に到達する。第１リム吐水口２２及び第２リム吐水口２４のそれぞれから吐水された洗浄水は、ボウル部１２を洗浄し、汚物を排水トラップ管路１６から排出するようになっている。
【００２２】
つぎに、図２及び図３により、本発明の一実施形態による排水弁装置が適用された水洗大便器の洗浄水タンクの内部構造について説明する。
図２および図３に示すように、洗浄水タンク装置４は、貯水タンク６内に洗浄水を供給する給水装置２６と、使用者の手指等による操作により大洗浄モードの洗浄操作又は小洗浄モードの洗浄操作のいずれかの洗浄操作を開始させる手動操作装置１８と、貯水タンク６に貯えられた洗浄水について排水口１０を開放して便器本体２の導水路２０に流出させる排水弁装置２８と、を備えている。
【００２３】
また、給水装置２６は、外部の給水源（図示せず）に接続され且つ貯水タンク６の底部から上方に延びるように設けられた給水管３０と、この給水管３０の上端部に取り付けられ、給水管３０から給水される洗浄水の貯水タンク６内への吐水と止水を切り替える給水バルブ３２と、貯水タンク６内の水位の変動に応じて上下動して給水バルブ３２による吐水と止水を切り替えるフロート３４とを備えている。
【００２４】
給水管３０の外周側下端部には、複数の吐水口（図示せず）が形成され、給水バルブ３２を通過した洗浄水が吐水口（図示せず）から貯水タンク６内に吐水されるようになっている。
また、給水装置２６においては、排水弁装置２８により、貯水タンク６内の洗浄水が便器に排水されると、洗浄水の水位が低下してフロート３４が下降し、それにより給水バルブ３２が開き、吐水口からの吐水が開始され、貯水タンク６の外部の給水源（図示せず）から貯水タンク６内への吐水が開始されるようになっている。さらに、吐水が継続されて貯水タンク６内の水位が上昇すると、フロート３４が上昇し、それにより給水バルブ３２が閉鎖され、吐水口からの吐水が止水されるようになっている。これにより、貯水タンク６内の洗浄水の水位が満水時の所定水位に維持されるようになっている。
なお、給水装置２６は、本実施形態では説明を省略するが、リフィール管３６等を備えており、このリフィール管３６から流出する一部の洗浄水が、オーバーフロー管内に流れ込み、便器本体２の導水路２０を経て補給水としてボウル部１２内に供給されることができるようになっている。
【００２５】
手動操作装置１８は、押しボタン式の手動操作装置である。手動操作装置１８は、水洗大便器１の大洗浄モードの洗浄操作の開始を機械的に指令する大洗浄ボタン３８と、水洗大便器１の小洗浄モードの洗浄操作の開始を機械的に指令する小洗浄ボタン４０と、大洗浄ボタン３８の下面側に固定され且つ下方に延びる大洗浄用棒部材４２と、小洗浄ボタン４０の下面側に固定され且つ下方に延びる小洗浄用棒部材４４と、を備えている。
【００２６】
使用者が大洗浄ボタン３８を押下する操作を行う場合には、大洗浄ボタン３８とともに大洗浄用棒部材４２が押し下げられ、大洗浄用棒部材４２の先端部４２ａが後述する排水弁装置の大洗浄操作部８４を押し下げるようになっている。
使用者が小洗浄ボタン４０を押下する操作を行う場合には、小洗浄ボタン４０とともに小洗浄用棒部材４４が押し下げられ、小洗浄用棒部材４４の先端部４４ａが後述する排水弁装置の小洗浄操作部８６を押し下げるようになっている。
使用者がこの大洗浄ボタン３８あるいは小洗浄ボタン４０を押下する操作を行うことによって、排水弁装置２８を大洗浄モードの洗浄操作又は小洗浄モードの洗浄操作のいずれかの洗浄操作に応じて駆動させることができるようになっている。
【００２７】
なお、本発明の一実施形態においては、手動操作装置１８を、大洗浄ボタン３８又は小洗浄ボタン４０を手動で押し下げ操作することにより弁体の引き上げ操作が可能となる弁体の引き上げ機構の例について説明しているが、手動操作装置１８を、操作ハンドル装置の操作ハンドルを手動で回転操作することによりワイヤ巻取り操作装置を操作し、操作ワイヤの引き上げ（巻き上げ）により弁体の引き上げ操作が可能となるような弁体の引き上げ機構により形成していてもよい。また、手動操作装置１８は、電動で操作ワイヤを引き上げ（巻き上げ）ることにより弁体の引き上げ操作が可能となるような電動式のワイヤ巻取り操作装置に変更することもできる。
【００２８】
次に排水弁装置２８について、図２乃至図７を用いて、更に詳細に説明する。
図４は本発明の一実施形態による排水弁装置のケーシングの蓋部及び胴部を取り外した状態で内部構造を見た概略斜視図であり、図５は図２のＶ−Ｖ線に沿って見た断面図であり、図６は図２のＶＩ−ＶＩ線に沿って見た断面図であり、図７は図１のＩＩ−ＩＩ線に沿って見た部分断面図であり、本発明の一実施形態による排水弁装置の小洗浄モードを開始するために弁体部を引上げた直後の状態を示す図である。
【００２９】
排水弁装置２８は、排水弁装置２８の外観を形成するケーシング４６と、貯水タンク６の底面に配置された排水口１０を開閉する弁体部４８と、このケーシング４６の外部からの操作により弁体部４８を上方に引上げることができる引上げ機構５０と、小洗浄モードにおける閉弁動作を開始させる樹脂製の小洗浄用フロート機構５２と、大洗浄モードにおける閉弁動作を開始させる樹脂製の大洗浄用フロート機構５４と、とを有している。
【００３０】
ケーシング４６は、排水弁装置２８の外観を形成する円筒形状に形成され、弁体部４８、弁体部４８の上方に配置される小洗浄用フロート機構５２及び大洗浄用フロート機構５４を、内部に収容し、これらの側方及び上方を覆うように形成されている。
ケーシング４６は、ケーシング４６の側部周面を形成する筒状の胴部５６と、排水弁装置２８の頂部を形成し、この胴部５６の頂部の開口部分を概ね覆うように形成されている概ね円形の蓋部５８と、貯水タンク６の排水口１０に取り付けられる排水口部６０と、を備えている。
【００３１】
蓋部５８は、つめ等の係合により胴部５６と比較的堅固に固定されるようになっている。なお、ケーシング４６は、胴部５６と、蓋部５８とが当初から別体ではなく一体として形成されていてもよい。胴部５６には、その側周面において洗浄水が通過可能な縦長のスリット５６ａが複数形成されている。
【００３２】
排水口部６０は、貯水タンク６の排水口１０に取り付けられる概ね円筒状の排水口部本体６２と、この排水口部本体６２の内側に位置し且つ下方に向かって縮径する縮径部６４と、この縮径部６４の上縁に沿って概ね円環状に形成されて上方に向けて突出している弁座６６とを備えている。
さらに、排水口部６０は、オーバーフロー管６８の下方部分と排水口部本体６２とを一体的に接続及び連通するオーバーフロー管接続部７０を備えている。オーバーフロー管６８は、貯水タンク６内の洗浄水がオーバーフロー管６８の上端位置に相当する高さの規定水位を超えた場合に排水弁装置２８へ流出させることができる。
【００３３】
さらに、図２乃至図４に示すように排水口１０の弁座６６よりも上方の領域には、周方向に複数の連通口７２が形成されており、各連通口７２の開口断面は、正面視において矩形状に形成されている。また、この連通口７２は、図４に示すように、貯水タンク６内部と排水口部本体６２の内部とを連通させ、貯水タンク６内の洗浄水を排水口１０内に流入させることができる。
【００３４】
弁体部４８は、図２乃至図４に示すように、排水口部６０の弁座６６上に当接（着座）することで排水口１０を開閉する円盤状の弁体７４と、弁体７４の中央から上方に延びる柱状の弁体主軸７６と、この弁体主軸７６の上部から横方向にほぼ水平に延びる平板取付部７８と、を備えている。
【００３５】
弁体部４８は、この弁体主軸７６の引上げに応じて貯水タンク６の底部６ａに配置された排水口１０を開閉する弁体７４が引上げられるようになっている。弁体７４は、排水口部６０内で上下移動できるようになっている。弁体７４は、最も下降した位置で弁座６６上に着座され、最も上昇された位置で排水口部６０の頂部６０ａの近傍に位置する。
また、弁体部４８の弁体主軸７６は、下端側に弁体７４が接続されていると共に、上端側が大洗浄ボタン３８および小洗浄ボタン４０により操作される引上げ機構５０と連結される平板取付部７８と接続されている。
【００３６】
弁体部４８の弁体主軸７６は、その上下方向の中央付近において、大洗浄モード用の引上げ量（引上げ高さ）Ｈ２以上の高さに引上げられたときに、後述する大洗浄側カム係合部１１４と係合し、小洗浄モード用の引上げ量（引上げ高さ）Ｈ４以上の高さに引上げられたときに、後述する小洗浄側カム係合部９４と係合する１つの共通突起部８０を備えている。弁体主軸７６が、１つの共通突起部８０を備えることにより、後述するように、共通突起部８０が小洗浄側カム係合部９４と係合する位置は、これが大洗浄側カム係合部１１４と係合する位置よりも低い位置となる。従って、弁体主軸７６は、大洗浄側カム係合部１１４と係合する１つの共通突起部８０の高さまでの長さを少なくとも有すればよい。
【００３７】
共通突起部８０は、弁体主軸７６から外側且つ後述する小洗浄側フロート機構側に向かって突出するように形成されている。共通突起部８０は、断面において、下辺８０ａが水平に形成され且つ上辺８０ｂが外側に向かって下り傾斜している三角形状を形成している。外側に向かって突出する凸部の下辺８０ａが、爪部を形成し、下降時に、後述する係合凸部９４ｂ上に引っ掛るようにして係合することができる。また、下辺８０ａが、爪部を形成し、後述する係合凹部１１４ｃ上に引っ掛るようにして係合することができる。
また、上辺８０ｂが外側に向かう傾斜面を形成していることから、弁体部４８が引上げられるときには、上辺８０ｂが係合凸部９４ｂ及び/又は係合凹部１１４ｃと係合することなく、これらの部材よりも上方まで引上げられることができるようになっている。
【００３８】
平板取付部７８は、弁体主軸７６から側方に延びる直方体形状の平板の所定幅の中央近傍において取付孔８２が形成されている。取付孔８２は四角形状の開口部の中央の両腹が外側に向かる凸状に拡がるような開口として形成されている。
【００３９】
引上げ機構５０は、上面がケーシング４６の蓋部５８の頂面に露出するように配置され且つ上下方向に摺動することができる大洗浄操作部８４と、上面が蓋部５８の頂面に露出するように配置され且つ上下方向に摺動することができる小洗浄操作部８６と、大洗浄操作部８４又は小洗浄操作部８６が下方に押し込まれるとき、待機状態から回転軸を中心に回転するようになっている第１回転リンク８８と、自身の上端が第１回転リンク８８の一端に回転可能に取付けられ、第１回転リンク８８の回転量に応じて、自身が上方に移動するようになっている第２リンク９０と、を備えている。
【００４０】
第１回転リンク８８は、大洗浄操作部８４の比較的大きな押し込みの移動量に対応して、比較的大きな回転量まで回転されるようになっている。第１回転リンク８８は、小洗浄操作部８６の比較的小さな押し込みの移動量に対応して、比較的小さな回転量まで回転されるようになっている。
第２リンク９０の下端部は、平板取付部７８の取付孔８２内に挿入された後、向きを変えて配置されていることにより、第２リンク９０の上昇時に平板取付部７８の下面と係合して、平板取付部７８及び弁体部４８全体を引上げることができる。
【００４１】
従って、大洗浄操作部８４及び小洗浄操作部８６が下方に押し込まれていない待機状態においては、第１回転リンク８８が待機状態にあり、第１回転リンク８８と連結されている第２リンク９０の下端部が平板取付部７８と係合しておらず、弁体部４８は排水口１０を閉鎖している状態となっている。
次に、使用者が大洗浄ボタン３８を押し下げ操作して、大洗浄操作部８４が下方に押し込まれて大洗浄モードの洗浄操作が開始される場合においては、第１回転リンク８８が比較的大きな回転量だけ回転され、第２リンク９０が上方に比較的大きな移動量引き上げられる。よって、第２リンク９０の下端部が平板取付部７８を比較的大きな移動量Ｈ２まで引上げ、弁体部４８は排水口１０を開き、大洗浄モードの洗浄操作が開始される。
次に、使用者が小洗浄ボタン４０を押し下げ操作して、小洗浄操作部８６が下方に押し込まれて小洗浄モードの洗浄操作が開始される場合においては、第１回転リンク８８が比較的小さな回転量だけ回転され、第２リンク９０が上方に比較的小さな移動量引き上げられる。よって、第２リンク９０の下端部が平板取付部７８を比較的小さな移動量Ｈ４まで引上げ、弁体部４８は排水口１０を開き、小洗浄モードの洗浄操作が開始される。
【００４２】
小洗浄用フロート機構５２は、貯水タンク６内の水位が所定の小洗浄水量を排出する水位まで低下するときに貯水タンク６内の水位と共に下降する小洗浄用フロート部９２と、弁体主軸７６に係合可能に形成された小洗浄側カム係合部９４と、を備え、小洗浄用フロート部９２の下降により小洗浄側カム係合部９４と弁体主軸７６との係合が解除されるように形成されている。
【００４３】
小洗浄用フロート部９２は、水の浮力作用により貯水タンク６内の水位上昇に応じて上昇され且つ貯水タンク６内の水位降下と共に下降する小洗浄用フロート９６と、上下に伸びると共に小洗浄用フロート９６を支持するフロート支持軸９８と、を備えている。
【００４４】
小洗浄用フロート９６は、水平断面形状が概ね半円から中央部が凹まされている形状であり且つ所定高さを有する柱状の部材である。小洗浄用フロート９６の外周側近傍において、フロート支持軸９８を挿通するための概ね円形の貫通孔１００が縦方向に延びて形成されている。小洗浄用フロート９６は、水からの浮力を受けて浮くような部材により形成されている。そして、この貫通孔１００の内側面に雌ねじ１００ａが形成されている。
小洗浄用フロート９６は、フロート支持軸９８の軸方向（上下方向）の中間部分において取り付けられており、フロート支持軸９８への小洗浄用フロート９６の取付位置が軸方向に変更可能となっている。
【００４５】
フロート支持軸９８は、概ね丸棒状の部材であり、上下端部を除いて外周面には雄ねじ９８ａが形成されている。フロート支持軸９８は、弁体主軸７６と概ね平行且つ縦方向に延びるように配置されている。そして、このフロート支持軸９８の雄ねじ９８ａと小洗浄用フロート９６の雌ねじ１００ａとは互いに螺合するように形成されている。よって、フロート支持軸９８の雄ねじ９８ａと小洗浄用フロート９６の雌ねじ１００ａとによりネジ部が形成される。小洗浄用フロート９６に対してフロート支持軸９８を回転させることにより、小洗浄用フロート９６のフロート支持軸９８に対する高さ（すなわち排水弁装置２８内における小洗浄用フロート９６の高さ）を非常に詳細に微調整することが可能となる。このようにネジ式で調整することにより小洗浄用フロート９６の高さを無段階で微調整することが可能となっている。よって、小洗浄用フロート９６の高さを微調整することができ、小洗浄用フロート９６の高さにより決定される小洗浄モードにおける貯水タンク６からの排水量（便器の洗浄水量）を高い精度で規定することができる。例えば、近年の節水化の要請に伴い貯水タンク６に貯水される洗浄水量が比較的少量となる場合においても、貯水タンク６から便器洗浄に必要な小洗浄水量を高い精度で供給することができる。
【００４６】
また、フロート支持軸９８の下端にはフロート支持軸９８よりも直径の大きい円形の下端鍔１０２が形成されており、さらに、フロート支持軸９８にはこの下端鍔１０２よりも上方でかつ雌ねじ１００ａよりも下方に下端鍔１０２と概ね同じ大きさの直径を有する下部上鍔１０４が形成されている。
【００４７】
また、ケーシング４６は、フロート支持軸９８の上端部９８ｂを挿入することができるケーシング４６の蓋部５８における支持軸用取付孔部５８ａと、フロート支持軸９８を摺動可能な状態で側方から支持する側方支持部１０６とを備えている。
支持軸用取付孔部５８ａは、鉛直方向下方に向かって開口され、フロート支持軸９８の上端部９８ｂを受け入れることができるように形成されている。支持軸用取付孔部５８ａは、フロート支持軸９８を上下方向のみに摺動できるように支持している。
【００４８】
側方支持部１０６は、ケーシング４６の側壁の内面から内側に向かって横向きに延びている。側方支持部１０６は、内側に向かって開口するＣ形状に形成され、２つに分かれた水平な支持腕の間にフロート支持軸９８を挟み込むように配置している。側方支持部１０６は、フロート支持軸９８を上下方向のみに摺動できるように、側方から支持している。側方支持部１０６は、フロート支持軸９８の下端部９８ｃよりも上方の位置で横からフロート支持軸９８を支持できるので、フロート支持軸９８の下端近傍に小洗浄側カム係合部９４を取付けることが可能となる。
フロート支持軸９８の下端部９８ｃは、従来の下方から上方に立ち上がるような支持部により支持されていないので、従来よりも下方の、排水口部６０の頂部６０ａの近傍の領域に位置することができる。従って、小洗浄側カム係合部９４を大洗浄側カム係合部１１４よりも低い位置且つ排水口部６０の頂部６０ａの近傍の比較的低い位置に配置することができる。このように、従来においては、フロート支持軸の下端を従来の支持部により支持する必要があったため、下端に小洗浄側カム係合部を取付けることがそもそも想定されておらず且つ取付けることが困難であったが、本発明においては、フロート支持軸の支持方法を工夫することにより、このような課題を解決している。
【００４９】
小洗浄側カム係合部９４は、このフロート支持軸９８の下端部９８ｃ近傍に連結され且つ弁体主軸７６に係合可能に形成されている。小洗浄側カム係合部９４は、小洗浄用フロート９６の下方に配置される。小洗浄側カム係合部９４は、上面視で概ねＴ字形状に形成されている。小洗浄側カム係合部９４は、一端においてフロート支持軸９８の下端鍔１０２と下部上鍔１０４との間に連結される連結部９４ａと、他端において弁体主軸７６の共通突起部８０と係合する係合凸部９４ｂと、上面から見て、弁体主軸７６近傍における小洗浄側カム係合部９４のＴ字形の水平方向の両端部に形成され、小洗浄側カム係合部９４を回転可能に支持している小洗浄カム回転軸９４ｃと、を備えている。
【００５０】
連結部９４ａは、外側に向かって開口するＣ形状に形成され、２つに分かれた横向きの腕部の間に支持部材７４を挟み込むように形成されている。連結部９４ａは、フロート支持軸９８を挟み込むようにして、フロート支持軸９８と連結される。よって、連結部９４ａは、フロート支持軸９８の上下移動に合わせて、上下移動するようになっている。連結部９４ａは、フロート支持軸９８の下端鍔１０２と下部上鍔１０４との間に連結されるため、上下方向の移動は、下端鍔１０２と下部上鍔１０４との間に制限されるようになっている。本実施形態においては、連結部９４ａは、フロート支持軸９８の下端部近傍に連結されているが、小洗浄側カム係合部９４が大洗浄側カム係合部１１４よりも下方に位置する限りにおいて、連結部９４ａがフロート支持軸９８の下端部より上方の位置に連結されていてもよい。
【００５１】
係合凸部９４ｂは、上方に突出する凸部を形成している。より具体的には、係合凸部９４ｂは、側面視で、台形に形成され、且つ、弁体主軸側の長辺９４ｄが、フロート支持軸側の短辺９４ｅよりも上方に突出するように形成され、長辺９４ｄの上端から短辺９４ｅの上端に向かって斜めに傾斜する面を形成している。係合凸部９４ｂは、上面視では、四角形状に形成されている。係合凸部９４ｂは、小洗浄カム回転軸９４ｃを中心に、連結部９４ａの上下移動に応じて、係合凸部９４ｂの向きが回転され、すなわち、係合凸部９４ｂの長辺９４ｄの上端の位置が回転される。係合凸部９４ｂは、連結部９４ａ側が上昇した位置にある場合には、長辺９４ｄの上端が弁体主軸側に近づくように回転され（傾けられ）た状態となる。係合凸部９４ｂは、連結部９４ａ側が下降した位置にある場合には、長辺９４ｄの上端が弁体主軸側から離れるように回転され（傾けられ）た状態となる。
【００５２】
この小洗浄カム回転軸９４ｃは排水口部６０の頂部６０ａから上方に突出した軸受部１０８によって支持されている。小洗浄カム回転軸９４ｃは、軸受部１０８に回動可能に取り付けられている。
【００５３】
大洗浄用フロート機構５４は、貯水タンク６内の水位が所定の大洗浄水量を排出する水位まで低下するとき、水位と共に下降する大洗浄用フロート１１０と、大洗浄用フロート１１０を収容する内側制御貯水部１１２と、弁体主軸７６に係合可能に形成された大洗浄側カム係合部１１４と、を備え、大洗浄用フロート１１０の下降により大洗浄側カム係合部１１４と弁体主軸７６との係合が解除されるように形成されている。
【００５４】
この大洗浄用フロート１１０は、内側制御貯水部１１２内に収容されるようになっている。大洗浄用フロート１１０は、水平断面形状が概ね半円から中央部が凹まされている形状であり且つ所定高さを有する柱状の部材である。大洗浄用フロート１１０は、内側制御貯水部１１２内に大部分が配置され、内側制御貯水部１１２内の水位に応じて浮力を受けるようになっている。大洗浄用フロート１１０は、小洗浄用フロート９６よりも低い高さの位置に配置されている。
【００５５】
大洗浄側カム係合部１１４は、この大洗浄用フロート１１０の両側の上端から、弁体主軸７６の反対側まで斜め上方向に直線的に延びる一対のアーム部１１４ａと、これらのアーム部１１４ａの上端部から外側にそれぞれ突出するように形成された一対の大洗浄カム回転軸１１４ｂと、アーム部１１４ａの上端部の中央から下方に所定長さ延びた先端部に形成され且つ弁体主軸７６の共通突起部８０と係合可能な係合凹部１１４ｃと、を備えている。
【００５６】
アーム部１１４ａは、それぞれ、大洗浄用フロート１１０の両側の上端１１０ａに接続されている。よって、大洗浄側カム係合部１１４のアーム部１１４ａは、大洗浄用フロート１１０の上下移動に合わせて、上下移動するようになっている。アーム部１１４ａは、それぞれ、大洗浄用フロート１１０の両側の上端１１０ａから、弁体主軸７６の両外側の領域を通り、弁体主軸７６の反対側の上端部１１４ｄまで延びている。アーム部１１４ａは、上面視で、コの字形状に形成され、上端部がアーム部１１４ａの上端部１１４ｄを横断方向に接続するように形成されている。
大洗浄カム回転軸１１４ｂは、ケーシング４６の胴部５６の内壁に設けられた一対の軸受部（図示せず）に回動可能に取り付けられるようになっている。
【００５７】
係合凹部１１４ｃは、アーム部１１４ａの上端部１１４ｄの中央から下方に延びた部材の先端部に形成されている。係合凹部１１４ｃは、側面視で、弁体主軸７６に向かって凹形状に開口されて形成されている。係合凹部１１４ｃは、横向きの凹形状の下辺１１４ｅがフックのように共通突起部８０と係合できるようになっている。係合凹部１１４ｃは、大洗浄カム回転軸１１４ｂを中心に、大洗浄用フロート１１０側のアーム部１１４ａの上下移動に応じて、係合凹部１１４ｃの向きが回転され、すなわち、係合凹部１１４ｃの下辺１１４ｅの向きが回転される。
係合凹部１１４ｃは、アーム部１１４ａの大洗浄用フロート１１０側が上昇した位置にある場合には、下辺１１４ｅが弁体主軸側に近づくように回転され且つ下辺１１４ｅが横向きの（又は横向きに近い）傾きを有している状態となる。係合凹部１１４ｃは、アーム部１１４ａの大洗浄用フロート１１０側が下降した位置にある場合には、下辺１１４ｅが弁体主軸側から離れるように回転され且つ下辺１１４ｅが斜めに傾けられた状態となる。よって、この大洗浄側カム係合部１１４は、大洗浄用フロート１１０の下降により弁体主軸７６の共通突起部８０との係合が解除されるように形成されている。
【００５８】
内側制御貯水部１１２は、排水口部６０の頂部６０ａ上に取り付けられて、大洗浄モードにおいて、弁体部４８の動きを制御するようになっている。内側制御貯水部１１２は、上部がケーシング４６内上方に向かって開口され且つ下部に小孔１１２ａが形成されている。内側制御貯水部１１２は、このような構造により、貯水タンク６から洗浄水を排水する時に、貯水タンク６内の水位の降下速度と異なるように、内側制御貯水部１１２内の水位の降下速度を制御することを可能にする。従って、後述するように、内側制御貯水部１１２は、大洗浄用フロート１１０の降下開始のタイミング（閉弁動作を開始させるタイミング）を独自に制御することを可能にしている。
【００５９】
内側制御貯水部１１２内に貯水された洗浄水による大洗浄用フロート１１０に対する上向きの浮力が大洗浄用フロート１１０の下向きの自重を上回った場合には、大洗浄用フロート１１０が内側制御貯水部１１２内で上昇する。大洗浄用フロート１１０の上向きの浮力が大洗浄用フロート１１０の下向きの自重を下回った場合には、大洗浄用フロート１１０が内側制御貯水部１１２内で下降するようになっている。
内側制御貯水部１１２内に大洗浄用フロート１１０が配置されることにより、内側制御貯水部１１２内の水位に応じて、大洗浄用フロート１１０の上下動、すなわち、大洗浄用フロート機構５４の大洗浄カム回転軸１１４ｂを中心とする回動、を制御することができるようになっている。
【００６０】
内側制御貯水部１１２は、その側周壁部の下方において、内側制御貯水部１１２内の洗浄水を内側制御貯水部１１２の外部の貯水タンク６内に流出させる流量調整用の小孔１１２ａが形成されている。小孔１１２ａは、スリット状に形成され、孔の大きさを変更可能に形成されている。
内側制御貯水部１１２の貯水領域の水位の低下速度については、小孔１１２ａの開口面積を調整して小さく設定する程、内側制御貯水部１１２の外部の水位の低下速度との速度差が大きくなり、弁体主軸７６及び弁体７４の下降動作（閉弁動作）が開始するタイミングが遅延され、排水終了時の貯水タンク６内の死水水位（ＤＷＬ）が低くなり、大洗浄モード時に貯水タンク６から便器本体２に供給される洗浄水の総量が多く設定されるようになっている。
逆に、内側制御貯水部１１２の貯水領域の水位の低下速度については、小孔１１２ａの開口面積を調整して大きく設定する程、内側制御貯水部１１２の外部の水位の低下速度との速度差が小さくなり、弁体主軸７６及び弁体７４の下降動作（閉弁動作）が開始するタイミングが早くされ、排水終了時の貯水タンク６内の死水水位（ＤＷＬ）が高くなり、大洗浄モード時に貯水タンク６から便器本体２に供給される洗浄水の総量が少なく設定されるようになっている。
【００６１】
また、ケーシング４６の胴部５６には、小孔１１２ａの近傍にケーシング開口（図示せず）が部分的に形成され、ケーシング４６のケーシング開口により、貯水タンク６内と、内側制御貯水部１１２の内部とが連通可能となっている。よって、内側制御貯水部１１２内の洗浄水を小孔１１２ａからケーシング４６のケーシング開口を経て貯水タンク６内へ流出させることができるようになっている。
なお、本実施形態においては、大洗浄用フロート機構５４は、内側制御貯水部１１２を備えているが、大洗浄用フロート機構５４は内側制御貯水部１１２を備えていなくてもよい。このとき、大洗浄用フロート１１０は、貯水タンク６内の水位に応じて上下動されることとなる。
【００６２】
本発明においては、排水弁装置２８の高さを低く形成するためには、引上げられる弁体部４８の高さ（概ね弁体主軸７６の高さ）を比較的低い高さに形成することが効果的であると考えられた。ここで、弁体部４８は、弁体７４から垂直に所定高さＨ１の高さまで立ち上がるように形成されている。ケーシング４６は、少なくとも弁体部４８の高さＨ１及び弁体７４の引上げ高さＨ２の可動範囲を有するような、ケーシング４６の蓋部５８までの全体の高さＨ３を有する必要がある。
従来においては、小洗浄用フロート９６が大洗浄用フロート１１０よりも高い位置に配置されるため、小洗浄用フロート９６と連結される小洗浄側カム係合部が、大洗浄側カム係合部よりも高い位置に設けられていた。従って、従来においては、弁体部４８の弁体主軸７６は、大洗浄側カム係合部と係合する大洗浄用突起部より高い位置に、小洗浄側カム係合部と係合する小洗浄用突起部を設ける必要があった。
【００６３】
これに対し、本発明においては、弁体部４８の弁体主軸７６において、従来の小洗浄側カム係合部と係合する小洗浄用突起部が省略されていることにより、弁体主軸７６の大洗浄用突起部より高い部分の長さを省略且つ短縮することができ、弁体部４８を比較的低い高さに形成することができる。
このように、弁体部４８の高さＨ１を比較的低い高さに形成することができることにより、ケーシング４６の蓋部５８までの全体の高さＨ３を比較的低い高さに形成することができる。排水弁装置２８のケーシング４６の高さを比較的低い高さに形成することができるため、排水弁装置２８を収容する貯水タンク６の高さを低くすることができ、貯水タンク６が配置されている水洗大便器１の低シルエット化を実現することができる。
また、手動操作装置１８が、押しボタン式の手動操作装置である場合には、排水弁装置２８の内部に押しボタンの引上げ機構等を収容するため、排水弁装置２８の高さが高くなりやすい構造であるが、本発明においては、排水弁装置２８の高さを比較的低い高さに形成することができる。
また、排水弁装置２８の高さを低くすることにより、排水弁装置２８を形成する樹脂等の体積を低減してコストを安くすることもできる。
【００６４】
続いて、図２および図７乃至図１４を用いて、本発明の実施形態による排水弁装置、この排水弁装置を備えた洗浄水タンク装置、及び、この洗浄水タンク装置を備えた水洗大便器の動作（作用）を説明する。
図８は図１のＩＩＩ−ＩＩＩ線に沿って見た部分断面図であり、本発明の一実施形態による排水弁装置の小洗浄モードを開始するために弁体部を引上げた直後の状態を示す図であり、図９は図１のＩＩ−ＩＩ線に沿って見た部分断面図であり、本発明の一実施形態による排水弁装置の小洗浄モードにおいて、共通突起部が小洗浄側カム係合部と係合している排水途中の状態を示す図であり、図１０は図１のＩＩ−ＩＩ線に沿って見た部分断面図であり、本発明の一実施形態による排水弁装置の小洗浄モードにおける排水終了時の状態を示す図であり、図１１は図１のＩＩ−ＩＩ線に沿って見た部分断面図であり、本発明の一実施形態による排水弁装置の大洗浄モードを開始するために弁体部を引上げた直後の状態を示す図であり、図１２は図１のＩＩＩ−ＩＩＩ線に沿って見た部分断面図であり、本発明の一実施形態による排水弁装置の大洗浄モードを開始するために弁体部を引上げた直後の状態を示す図であり、図１３は図１のＩＩ−ＩＩ線に沿って見た部分断面図であり、本発明の一実施形態による排水弁装置の大洗浄モードにおいて、共通突起部が大洗浄側カム係合部と係合している排水途中の状態を示す図であり、図１４は図１のＩＩ−ＩＩ線に沿って見た部分断面図であり、本発明の一実施形態による排水弁装置の大洗浄モードにおける排水終了時の状態を示す図である。
【００６５】
まず、図２、図３、図７乃至図１０を用いて、本発明の実施形態による排水弁装置を備えた洗浄水タンク装置により実行される２種類の洗浄モードのうちの小洗浄モードについて説明する。
【００６６】
図２に示すように、排水弁装置２８の小洗浄モードにおける排水開始前の状態では、弁体７４が弁座６６に当接して排水口１０が閉止され、貯水タンク６内の水位が満水時の止水水位Ｗｆとなり、ケーシング４６の外側に貯水されている貯水タンク６内の洗浄水がケーシング４６の胴部５６の形成されたスリット５６ａを経てケーシング４６の内部に流入し、大洗浄用フロート１１０及び小洗浄用フロート９６が水没している。
また、小洗浄側カム係合部９４の係合凸部９４ｂは弁体主軸７６の共通突起部８０よりも上方に位置し、両者が係合していない状態となっている。大洗浄側カム係合部１１４も弁体主軸７６の共通突起部８０よりも上方に位置しており、両者が係合していない状態となっている。
【００６７】
つぎに、図７および図８に示すように、排水弁装置２８の小洗浄モードにおける開弁時の状態では、使用者が蓋８に形成された小洗浄ボタン４０（図１等参照）を押下すると、この押下に応じて小洗浄操作部８６が押し下げられる。小洗浄操作部８６の押し下げにより、引上げ機構５０の第１回転リンク８８が比較的小さな回転量だけ回転され、第２リンク９０が比較的小さな引上げ量Ｈ４だけ引上げられる。第２リンク９０の下端部が平板取付部７８を引上げ、弁体部４８全体を引上げることができる。弁体部４８の弁体主軸７６が最高高さ位置よりも低い所定の高さ位置まで引き上げられ、排水口１０が開放される。
このとき、弁座６６に対する弁体７４の上昇高さ（ストローク）Ｈが、大洗浄モードの最大の上昇高さＨ２よりも低いＨ４となり、貯水タンク６の排水弁装置２８による水洗大便器１の便器本体２への小洗浄モードの排水が開始される。洗浄水が排水口１０から排出され、貯水タンク６内の水位が水位Ｗ１に示すように低下を開始する。
【００６８】
弁体部４８の弁体主軸７６の共通突起部８０は、小洗浄側カム係合部９４の係合凸部９４ｂより上方の位置まで引上げられている。小洗浄モードにおいては、共通突起部８０は、大洗浄側カム係合部１１４の係合凹部１１４ｃよりも下方の位置にあるので、大洗浄側カム係合部１１４とは係合しない。
小洗浄用フロート９６は、自身に働く浮力によりフロート支持軸９８と一体になって上昇し、小洗浄側カム係合部９４の連結部９４ａが上昇されている。小洗浄側カム係合部９４は、小洗浄カム回転軸９４ｃを中心に回転され、係合凸部９４ｂの長辺９４ｄの上端が弁体主軸側に近づくように回転され（傾けられ）た状態となっている。このように、共通突起部８０は、小洗浄モード用の引上げ量Ｈ４を引上げられたときに、後述するように小洗浄側カム係合部９４の係合凸部９４ｂと係合できるような、係合凸部９４ｂより上方の位置に位置している。
【００６９】
図９に示すように、弁体部４８が自重により下降すると、弁体主軸７６の共通突起部８０が小洗浄側カム係合部９４の係合凸部９４ｂと係合している状態となり、弁体主軸７６および弁体７４の下降動作（閉弁動作）が拘束された状態となる。洗浄水が、開放された排水口１０から便器本体２に供給される。
【００７０】
つぎに、図１０に示すように、排水弁装置２８の小洗浄モードにおける排水途中の状態では、排水口１０から便器本体２への排水に伴って、貯水タンク６内の水位とケーシング４６の内部の水位が、図９に示す水位Ｗ２よりも低い水位まで低下するため、この水位の低下に連動して小洗浄用フロート９６の浮力が減少し、小洗浄用フロート９６と係合しているフロート支持軸９８と一体になって下降する。
小洗浄用フロート９６は、貯水タンク６内の水位が所定の小洗浄水量を排出する水位まで低下するとき、水位と共に下降を開始するようになっており、小洗浄用フロート９６が下降して、後述するように排水が終了するとき、死水水位Ｗ３となって、所定の小洗浄水量（およそ満水水位Ｗｆから死水水位Ｗ３までに貯水タンク６から排水された洗浄水量）が便器本体２に供給される。
また、フロート支持軸９８が下降すると、小洗浄側カム係合部９４の連結部９４ａが下降される。小洗浄側カム係合部９４は、小洗浄カム回転軸９４ｃを中心に回転され、係合凸部９４ｂの長辺９４ｄの上端がフロート支持軸側に近づくように回転され（傾けられ）た状態となる。よって、共通突起部８０と係合凸部９４ｂとの４４との係合が解除され、共通突起部８０が係合凸部９４ｂの長辺９４ｄに沿って下降することとなる。このとき、弁体主軸７６および弁体７４が水位の低下と共に下降し、排水弁装置２８の小洗浄モードにおける閉弁動作が開始される。
このとき、大洗浄用フロート機構５４の大洗浄側カム係合部１１４は、共通突起部８０よりも上方に位置しており、両者が係合していない状態となるため、弁体主軸７６および弁体７４の下降による閉弁動作が妨げられることはない。
【００７１】
つぎに、弁体主軸７６および弁体７４が水位の低下と共にさらに下降すると、図１０に示すように、弁体７４が弁座６６に当接し、排水口１０が閉止され、排水弁装置２８の小洗浄モードにおける排水が終了する。
また、排水終了時の状態では、貯水タンク６内の水位とケーシング４６の内部の水位が、図９に示す水位Ｗ１よりも低い水位Ｗ３まで低下し、死水水位（ＤＷＬ）となる。この小洗浄モード時の死水水位Ｗ３（ＤＷＬ）は、図１４に示す大洗浄モード時の死水水位Ｗ７（ＤＷＬ）よりも高くなる。
【００７２】
この後、給水装置２６により、洗浄水を貯水タンク６内の水位Ｗｆまで給水し、小洗浄モードにおける洗浄動作が終了する。洗浄水が貯水タンク６内の水位Ｗｆまで給水された状態は、図２に示すように、排水弁装置２８の小洗浄モードにおける排水開始前の状態となる。
【００７３】
次に、図１１乃至図１４を用いて、本発明の一実施形態による排水弁装置を備えた洗浄水タンク装置により実行される２種類の洗浄モードのうちの大洗浄モードについて説明する。
【００７４】
まず、図２に示されるような大洗浄モードにおける排水が開始される前の状態の排水弁装置２８においては、上述した図２に示されている小洗浄モードの場合と同様であるため、説明は省略する。
【００７５】
つぎに、図１１及び図１２に示すように、排水弁装置２８の大洗浄モードにおける開弁時の状態では、使用者が蓋８に形成された大洗浄ボタン３８を押下すると、この押下に応じて大洗浄操作部８４が押し下げられる。大洗浄操作部８４の押し下げにより、引上げ機構５０の第１回転リンク８８が比較的大きな回転量だけ回転され、第２リンク９０が比較的大きな引上げ量Ｈ２だけ引上げられる。第２リンク９０の下端部が平板取付部７８を引上げ、弁体部４８全体を引上げることができる。弁体部４８の弁体主軸７６が最高高さ位置まで引き上げられ、排水口１０が開放される。
このとき、弁座６６に対する弁体７４の上昇高さ（ストローク）Ｈが小洗浄モード時の引き上げ高さＨ４よりも高い最大高さ（最大ストローク）Ｈ２となり（Ｈ２＞Ｈ４）、貯水タンク６の排水弁装置２８による水洗大便器１の便器本体２への大洗浄モードの排水が開始される。
【００７６】
このとき、弁体部４８の弁体主軸７６の共通突起部８０は、大洗浄側カム係合部１１４の係合凹部１１４ｃより上方の位置まで引上げられている。さらに、共通突起部８０は、小洗浄側カム係合部９４の係合凸部９４ｂより上方の位置にも引上げられている。
大洗浄用フロート１１０は、内側制御貯水部１１２内において、自身に働く浮力により上昇され、大洗浄側カム係合部１１４のアーム部１１４ａが上昇されている。大洗浄側カム係合部１１４は、大洗浄カム回転軸１１４ｂを中心に回転され、係合凹部１１４ｃの下辺１１４ｅが弁体主軸側に近づくように回転され（傾けられ）且つ下辺１１４ｅが横向きの（又は横向きに近い）傾きを有している状態となっている。
また、小洗浄用フロート９６は、自身に働く浮力によりフロート支持軸９８と一体になって上昇し、小洗浄側カム係合部９４の連結部９４ａが上昇されている。小洗浄側カム係合部９４は、小洗浄カム回転軸９４ｃを中心に回転され、係合凸部９４ｂの長辺９４ｄの上端が弁体主軸側に近づくように回転され（傾けられ）た状態となっている。このように、共通突起部８０は、大洗浄モード用の引上げ量Ｈ２を引上げられたときに、後述するように大洗浄側カム係合部１１４の係合凹部１１４ｃと係合できるような、係合凹部１１４ｃより上方の位置に位置している。
【００７７】
図１３に示すように、弁体部４８が自重により下降すると、弁体主軸７６の共通突起部８０が大洗浄側カム係合部１１４の係合凹部１１４ｃと係合している状態となり、弁体主軸７６および弁体７４の下降動作（閉弁動作）が拘束された状態となる。洗浄水が、開放された排水口１０から便器本体２に供給される。ここで、共通突起部８０が大洗浄側カム係合部１１４の係合凹部１１４ｃと係合しているので、小洗浄側カム係合部９４とは係合していない状態である。
【００７８】
また、図１３に示すように、排水弁装置２８の大洗浄モードにおける開弁時の状態では、弁体７４が弁座６６に対して最大高さＨ２まで上昇して排水口１０が開放されており、貯水タンク６内の水位が急激に低下した水位Ｗ５となる。貯水タンク６内の洗浄水とケーシング４６内の洗浄水は、ケーシング４６のスリット５６ａ等によって連通しているため、ケーシング４６内の洗浄水もＷ５の水位となる。このとき、内側制御貯水部１１２内の水位の低下速度は、貯水タンク６内の水位の低下速度と異なっている。内側制御貯水部１１２内には依然として水位Ｗ６まで洗浄水が溜まっている状態になっている。
【００７９】
つぎに、図１３に示すように、内側制御貯水部１１２内の洗浄水は、その下部の小孔１１２ａから徐々に流出するようになっている。内側制御貯水部１１２内の洗浄水の水位の低下速度と、外部の貯水タンク６内の水位の低下速度との速度差が生じ、大洗浄用フロート１１０が下降を開始するタイミングが遅延されている。このようにして、大洗浄用フロート１１０が下降を開始するタイミングを遅らせることで、図１４に示すように、貯水タンク６内の洗浄水を大洗浄用フロート１１０より下方まで十分に排出させることができる。
【００８０】
図１３に示すように、洗浄水の水位Ｗ５が内側制御貯水部１１２内の下部の位置にある状態においてもなお、内側制御貯水部１１２内の大洗浄用フロート１１０は水没した状態（水による浮力を受けている状態）となっている。大洗浄用フロート１１０は、自身に働く浮力により上昇され、大洗浄側カム係合部１１４のアーム部１１４ａが上昇され、係合凹部１１４ｃの下辺１１４ｅが共通突起部８０と係合した状態を維持している。
【００８１】
これに対し、小洗浄用フロート９６は水位Ｗ５よりも上方に露出した状態となっている。よって、小洗浄用フロート９６及びフロート支持軸９８が下降している。フロート支持軸９８が下降すると、小洗浄側カム係合部９４の連結部９４ａが下降される。小洗浄側カム係合部９４は、小洗浄カム回転軸９４ｃを中心に回転され、係合凸部９４ｂの長辺９４ｄの上端がフロート支持軸側に近づくように回転され（傾けられ）た状態となる。従って、小洗浄側カム係合部９４の係合凸部９４ｂの長辺９４ｄは、共通突起部８０が下降してきても係合しないようになっている。
【００８２】
つぎに、図１４に示すように、貯水タンク６内の水位がさらに低下した水位Ｗ７となり、内側制御貯水部１１２内の水位Ｗ８が低下すると、大洗浄用フロート１１０が下降する。大洗浄側カム係合部１１４のアーム部１１４ａが下降され、大洗浄カム回転軸１１４ｂを中心に回転され、係合凹部１１４ｃの下辺１１４ｅが弁体主軸側から離れるように回転され（傾けられ）ている状態となる。よって、共通突起部８０と係合凹部１１４ｃとの係合が解除され、共通突起部８０が下降することとなる。このとき、上述するように、小洗浄用フロート９６は、すでに下降した状態であり、係合凸部９４ｂの長辺９４ｄの上端がフロート支持軸側に近づくように回転され（傾けられ）た状態となっている。よって、共通突起部８０と係合凸部９４ｂとが係合することなく、共通突起部８０が係合凸部９４ｂの長辺９４ｄに沿って下降することとなる。このようにして、弁体主軸７６および弁体７４が水位の低下と共に下降し、排水弁装置２８の小洗浄モードにおける閉弁動作が開始される。
大洗浄用フロート１１０は、貯水タンク６内の水位が所定の大洗浄水量を排出する水位まで低下するとき、水位と共に下降を開始するようになっている。本実施形態においては、大洗浄用フロート１１０は、貯水タンク６内の水位が所定の水位まで低下するとき、内側制御貯水部１１２内の水位が低下する。内側制御貯水部１１２内の水位が水位Ｗ８まで低下すると、大洗浄用フロート１１０が下降して、上述するように排水が終了するとき、貯水タンク６内の水位が死水水位Ｗ７となって、所定の大洗浄水量（およそ満水水位Ｗｆから死水水位Ｗ７までに貯水タンク６から排水された洗浄水量）が便器本体２に供給される。このように、貯水タンク６内の水位の低下より少し遅延している内側制御貯水部１１２内の水位の低下により貯水タンク６から排水される洗浄水量を決定することができる。
【００８３】
弁体主軸７６および弁体７４が、下降して弁座６６に当接し、排水口１０が閉止され、排水弁装置２８の大洗浄モードにおける排水が終了する。
また、排水終了時の状態では、貯水タンク６内の水位とケーシング４６の内部の水位が、図１０に示す小洗浄モード時の死水水位Ｗ３よりも低い水位Ｗ７まで低下し、死水水位（ＤＷＬ）となる。
【００８４】
この後、給水装置２６により、洗浄水を貯水タンク６内の水位Ｗｆまで給水し、大洗浄モードにおける洗浄動作が終了する。洗浄水が貯水タンク６内の水位Ｗｆまで給水された状態は、図２に示すように、排水弁装置２８の大洗浄モードにおける排水開始前の状態となる。
【００８５】
上述した本発明の実施形態による排水弁装置２８によれば、弁体部４８の弁体主軸７６の１つの共通突起部８０が、大洗浄モード用の引上げ量を引上げられたときに、大洗浄側カム係合部１１４と係合し、小洗浄モード用の引上げ量を引上げられたときに小洗浄側カム係合部９４と係合し、大洗浄モード及び小洗浄モードにおいて、弁体を引上げた状態で、洗浄水を貯水タンク６の排水口１０から便器本体２に排出する。
小洗浄モードにおいては、貯水タンク６内の水位が所定の小洗浄水量を排出する水位まで低下するとき、小洗浄用フロート９６が水位と共に下降することにより、小洗浄側カム係合部９４と弁体主軸７６の１つの共通突起部８０との係合が解除され、弁体７４が降下して排水口１０を閉止する。
大洗浄モードにおいては、貯水タンク６内の水位が所定の大洗浄水量を排出する水位まで低下するとき、大洗浄用フロート１１０が水位と共に下降することにより、大洗浄側カム係合部１１４と弁体主軸７６の１つの共通突起部８０との係合が解除され、弁体７４が降下して排水口１０を閉止する。
このように、弁体主軸７６の１つの共通突起部８０を用いて、小洗浄モード及び大洗浄モードを行うことができる。
従って、弁体主軸７６が、小洗浄側カム係合部９４及び大洗浄側カム係合部１１４に対し、１つの共通突起部８０のみを有するので、弁体主軸７６の長さを短くすることができ、排水弁装置２８の高さを低くして、比較的低いシルエットを有する水洗大便器１に配置することができる排水弁装置２８を提供することができる。
【００８６】
また、本実施形態による排水弁装置２８によれば、小洗浄側カム係合部９４は、大洗浄側カム係合部１１４よりも低い位置に配置されている。弁体主軸７６の１つの共通突起部８０が、大洗浄側カム係合部１１４の高さまで引上げられたときに、大洗浄側カム係合部１１４と係合することができ、大洗浄側カム係合部１１４の高さよりも低い位置に配置されている小洗浄側カム係合部９４の高さまで引上げられたときに、小洗浄側カム係合部９４と係合することができる。
従って、従来のように小洗浄側カム係合部９４が大洗浄側カム係合部１１４よりも高い位置に配置されていない。よって、従来のように大洗浄側カム係合部よりも高い位置に配置されている小洗浄側カム係合部に対応する小洗浄用突起部を弁体主軸に設ける必要をなくすことができる。
従って、弁体主軸７６が、大洗浄側カム係合部１１４よりも低い位置に配置されている小洗浄側カム係合部９４と係合する１つの共通突起部８０を有するので、弁体主軸７６の長さを短くすることができ、排水弁装置２８の高さを低くして、比較的低いシルエットを有する水洗大便器１に配置することができる排水弁装置２８を提供することができる。
【００８７】
さらに、本実施形態による排水弁装置２８によれば、小洗浄側カム係合部９４は、フロート支持軸９８の下端部９８ｃに連結されるので、比較的低い位置で１つの共通突起部８０と係合することができる。
従って、弁体主軸７６が、比較的近い位置に１つの共通突起部８０を有するので、弁体主軸７６の長さを短くすることができ、排水弁装置２８の高さを低くして、比較的低いシルエットを有する水洗大便器１に配置することができる排水弁装置２８を提供することができる。
【００８８】
また、本実施形態による排水弁装置２８によれば、ケーシング４６の側方支持部１０６がフロート支持軸９８を摺動可能な状態で側方から支持することができるので、従来のようにフロート支持軸の下端部をケーシングの底部から支持する底部支持部を設ける必要がなくなる。
従って、フロート支持軸９８の下端部９８ｃに小洗浄側カム係合部９４を連結することができ、小洗浄側カム係合部９４を、比較的低い位置に配置することができる。
【００８９】
さらに、本実施形態による排水弁装置２８によれば、フロート支持軸９８は、外面に小洗浄用フロート９６と螺合する雄ねじ９８ａが形成されている。よって、貯水タンク６内の水位が所定の小洗浄水量を排出する水位まで低下するとき貯水タンク６内の水位と共に下降を開始する小洗浄用フロート９６の高さ位置をフロート支持軸９８の雄ねじ９８ａに沿って微調整可能である。従って、貯水タンク６から便器に排出される所定の小洗浄水量を、従来のように段階的な調整によらずに、比較的高い精度で微調整することができ、例えば節水化の要請に伴い貯水タンク６内の洗浄水量が低減される場合にも、この低減された洗浄水量のうちの所定の小洗浄水量を、比較的高い精度で微調整することができる。
【００９０】
さらに、本実施形態による洗浄水タンク装置４によれば、排水弁装置２８の高さを低くして、比較的低いシルエットを有する洗浄水タンク装置４を提供することができる。
【００９１】
また、本実施形態による水洗大便器１によれば、排水弁装置２８の高さを低くして、比較的低いシルエットを有する水洗大便器１を提供することができる。
【符号の説明】
【００９２】
１        水洗大便器
２        便器本体
４        洗浄水タンク装置
６        貯水タンク
６ａ      底部
８        蓋
１０      排水口
１２      ボウル部
１４      リム部
１６      排水トラップ管路
１６ａ    入口
１８      手動操作装置
２０      導水路
２２      第１リム吐水口
２４      第２リム吐水口
２６      給水装置
２８      排水弁装置
３０      給水管
３２      給水バルブ
３４      フロート
３６      リフィール管
３８      大洗浄ボタン
４０      小洗浄ボタン
４２      大洗浄用棒部材
４２ａ    先端部
４４      小洗浄用棒部材
４４ａ    先端部
４６      ケーシング
４８      弁体部
５０      引上げ機構
５２      小洗浄用フロート機構
５４      大洗浄用フロート機構
５６      胴部
５６ａ    スリット
５８      蓋部
５８ａ    支持軸用取付孔部
６０      排水口部
６０ａ    頂部
６２      排水口部本体
６４      縮径部
６６      弁座
６８      オーバーフロー管
７０      オーバーフロー管接続部
７２      連通口
７４      支持部材
７４      弁体
７６      弁体主軸
７８      平板取付部
８０      共通突起部
８０ａ    下辺
８０ｂ    上辺
８２      取付孔
８４      大洗浄操作部
８６      小洗浄操作部
８８      回転リンク
９０      第２リンク
９２      小洗浄用フロート部
９４      小洗浄側カム係合部
９４ａ    連結部
９４ｂ    係合凸部
９４ｃ    小洗浄カム回転軸
９４ｄ    長辺
９４ｅ    短辺
９６      小洗浄用フロート
９８      フロート支持軸
９８ａ    雄ねじ
９８ｂ    上端部
９８ｃ    下端部
１００    貫通孔
１００ａ  雌ねじ
１０２    下端鍔
１０４    下部上鍔
１０６    側方支持部
１０８    軸受部
１１０    大洗浄用フロート
１１０ａ  上端
１１２    内側制御貯水部
１１２ａ  小孔
１１４    大洗浄側カム係合部
１１４ａ  アーム部
１１４ｂ  大洗浄カム回転軸
１１４ｃ  係合凹部
１１４ｄ  上端部
１１４ｅ  下辺
Ｗ１      水位
Ｗ２      水位
Ｗ３      水位
Ｗ５      水位
Ｗ６      水位
Ｗ７      水位
Ｗ８      水位
Ｗｆ      水位
【図１】
0006501062.tif 000002
【図２】
0006501062.tif 000003
【図３】
0006501062.tif 000004
【図４】
0006501062.tif 000005
【図５】
0006501062.tif 000006
【図６】
0006501062.tif 000007
【図７】
0006501062.tif 000008
【図８】
0006501062.tif 000009
【図９】
0006501062.tif 000010
【図１０】
0006501062.tif 000011
【図１１】
0006501062.tif 000012
【図１２】
0006501062.tif 000013
【図１３】
0006501062.tif 000014
【図１４】
0006501062.tif 000015